(57)【要約】 【課題】読取領域のサイズとは異なるサイズの読取画像データを得ることができる画像読取装置、画像読取方法、および画像読取用の制御プログラムを提供する。【解決手段】実施形態によれば、画像読取装置は、画像読取部と、操作部と、算出部と、実行部と、変倍部とを有する。画像読取部は、原稿の画像を読み取る。操作部は、原稿の読取倍率の指定を受け付ける。算出部は、操作部が受け付けた読取倍率に応じた読取領域を算出する。実行部は、画像読取部により算出した読取領域の読取りを実行する。変倍部は、読取領域を読み取った画像データを読取倍率に従って変倍する。【選択図】図２
2016058802.tif 000002
【特許請求の範囲】
【請求項１】
原稿の画像を読み取る画像読取部と、
原稿の読取倍率の指定を受け付ける操作部と、
前記操作部が受け付けた読取倍率に応じた読取領域を算出する算出部と、
前記画像読取部により前記算出した読取領域の読取りを実行する実行部と、
前記読取領域を読み取った画像データを前記読取倍率に従って変倍する変倍部と、
を有する画像読取装置。
【請求項２】
前記操作部は、さらに、読取画像の出力サイズの指定を受け付け、
前記算出部は、前記読取倍率と前記出力サイズとから読取領域を算出する、
請求項１に記載の画像読取装置。
【請求項３】
前記画像読取部は、読取位置に応じて移動するキャリッジを有し、
さらに、前記キャリッジを前記読取領域の終端に移動させることにより前記読取領域を報知する報知部を有する、
請求項１又は２の何れかに記載の画像読取装置。
【請求項４】
前記操作部は、原稿の読取サイズと読取画像の出力サイズとの指定を受け付け、
前記算出部は、前記読取サイズと前記出力サイズとから読取倍率を算出する、
請求項１に記載の画像読取装置。
【請求項５】
読取倍率の指定を受け付け、
前記受け付けた読取倍率に応じた読取り領域を算出し、
前記算出した読取領域の読取りを画像読取部に実行させ、
前記読取領域を読み取った画像データを前記読取倍率に従って変倍する、
画像読取方法。
【請求項６】
コンピュータに、
原稿の読取倍率の指定を受け付ける機能と、
前記受け付けた読取倍率に応じた読取り領域を算出する機能と、
前記算出した読取領域の読取りを画像読取部に実行させる機能と、
前記読取領域を読み取った画像データを前記読取倍率に従って変倍する機能と、
を実現させるための画像読取用の制御プログラム。
【発明の詳細な説明】
【技術分野】
【０００１】
本実施形態は、画像読取装置、画像読取方法、および画像読取用の制御プログラムに関する。
【背景技術】
【０００２】
従来、デジタル複合機などに搭載されるスキャナなどの画像読取装置は、読取り対象となる原稿のサイズに従って読取領域を決定する。従来の画像読取装置は、原稿サイズの設定を規定のサイズ（例えば、Ａ３、Ａ４、Ａ５、Ｂ４、Ｂ５など）から選択する。規定のサイズで原稿を読み取ることにより、画像形成装置は、規定のサイズの読取り画像データを得ることができる。しかしながら、実際の原稿が設定した規定の原稿サイズよりも少し大きい場合、画像読取装置は、原稿の一部（読取領域外）が欠けた画像を読み取るか、一回り大きな原稿サイズを設定して読み取る。すなわち、従来の画像読取装置は、規定とは異なるサイズの原稿領域すべてを規定のサイズの画像データとして得ることができないという問題点がある。
【先行技術文献】
【特許文献】
【０００３】
【特許文献１】特開平１０−９８６０９
【発明の概要】
【発明が解決しようとする課題】
【０００４】
本発明は、読取領域のサイズとは異なるサイズの読取画像データを得ることができる画像読取装置、画像読取方法、および画像読取用の制御プログラムを提供することを目的とする。
【課題を解決するための手段】
【０００５】
実施形態によれば、画像読取装置は、画像読取部と、操作部と、算出部と、実行部と、変倍部とを有する。画像読取部は、原稿の画像を読み取る。操作部は、原稿の読取倍率の指定を受け付ける。算出部は、操作部が受け付けた読取倍率に応じた読取領域を算出する。実行部は、画像読取部により算出した読取領域の読取りを実行する。変倍部は、読取領域を読み取った画像データを読取倍率に従って変倍する。
【図面の簡単な説明】
【０００６】
【図１】図１は、実施形態に係る画像読取装置の構成例を示す図である。
【図２】図２は、実施形態に係るデジタル複合機の構成例をブロック図である。
【図３】図３は、本実施形態に係るデジタル複合機におけるスキャン設定処理の流れを説明するためのフローチャートである。
【図４】図４は、本実施形態に係るデジタル複合機におけるスキャン処理を説明するためのフローチャートである。
【図５】図５は、本実施形態に係るデジタル複合機によるスキャン処理の例を示す図である。
【発明を実施するための形態】
【０００７】
以下、実施の形態について、図面を参照して説明する。  
図１は、実施形態に係るデジタル複合機の構成例を概略的に示すブロック図である。  
この発明の実施の形態に係る画像読取装置１は、解像度に応じた画素単位でライン毎に、原稿の画像情報を読み取る装置である。
【０００８】
図１は、この発明の実施の形態に係る画像読取装置１の構成例を示す断面図である。  
画像読取装置１は、図１に示すように、原稿台ガラス１０、光源１１、リフレクタ１２、第１ミラー１３、第２ミラー１４、第３ミラー１５、第１キャリッジ１６、第２キャリッジ１７、集光レンズ１８、光電変換部１９、スキャナ制御基板２０、自動原稿送り装置（ＡＤＦ）２１など有する。
【０００９】
原稿台ガラス１０は、原稿を載置する原稿載置台である。原稿台ガラス１０に載置する原稿は、定型のサイズに限定されない。  
第１キャリッジ１６は、光源１１、リフレクタ１２、および第１ミラー１３を搭載する。光源１１は、画像読取位置Ｐに照射する光を発光する。たとえば、原稿台ガラス１０上に原稿が載置された場合、光源１１は、原稿の読取面における画像読取位置Ｐに照射する光を発光する。リフレクタ１２は、光源１１が発光する光を画像読取位置Ｐへ照射する。第１ミラー１３は、画像読取位置Ｐからの光を第２ミラー１４へ導く。
【００１０】
第２キャリッジ１７は、第２ミラー１４および第３ミラー１５を搭載する。第２ミラー１４は、第１ミラー１３からの光を第３ミラー１５へ導く。第３ミラー１５は、第２ミラー１４からの光を集光レンズ１８へ導く。集光レンズ１８は、第３ミラー１５からの光を集光する。集光レンズ１８は、第３ミラー１５からの光を集光して光電変換部１９の結像面に結像する。
【００１１】
光電変換部１９は、ＣＣＤセンサなどの光電変換素子により構成する。光電変換素子は、主走査方向に並べられ、ラインセンサを構成する。たとえば、光電変換素子は、基板に実装され、結像面を形成する。光電変換素子は、集光レンズ１８が結像した光のエネルギーを電荷に変換する。光電変換部１９は、集光レンズ１８が結像面に結像する画像を電気信号に変換する。光電変換部１９は、光電変換素子が光電変換した電気信号をスキャナ制御基板２０に出力する。スキャナ制御基板２０は、画像読取装置１の制御ユニットとして機能する。
【００１２】
第１キャリッジ１６は、駆動モータを含む駆動機構により左右方向（副走査方向）に移動する。第２キャリッジ１７は、第１キャリッジ１６と同じ方向に１／２の速度で従動する。第１キャリッジ１６が移動しても、原稿台ガラス１０上の原稿の読取面から光電変換部１９の結像面までの光路長は、変化しない。つまり、第１ミラー１３、第２ミラー１４および第３ミラー１５で構成される光学系は、第１キャリッジ１６及び第２キャリッジ１７が移動しても、原稿の読取から光電変換部１９の結像面までの光路長が常に一定になるように構成する。
【００１３】
例えば、原稿台ガラス１０上に載置された原稿の画像を読み取る場合、第１キャリッジ１６は、図１の左から右の方向（副走査方向）ａへ移動する。第１キャリッジ１６の副走査方向への移動に伴って、原稿に対する読取位置（主走査方向の１ライン分）Ｐも左から右方向（副走査方向）へ移動する。読取位置が副走査方向に移動することにより、光電変換部１９の結像面には、読取位置の画像（主走査方向の１ライン分の画像）が順次結像される。この結果、光電変換部１９は、原稿全体の画像を画像情報に変換する。
【００１４】
ＡＤＦ２１は、原稿を搬送する。ＡＤＦ２１は、原稿台に載置された原稿を１枚ずつピックアップする。図１に示す例において、ＡＤＦ２１は、ピックアップした原稿を搬送方向Ｆに沿って搬送させる。ＡＤＦ２１は、原稿の搬送経路上において、原稿の読取面が固定の画像読取位置Ｐ１を通過するように原稿を搬送する。光電変換部１９は、ＡＤＦ２１により搬送される原稿が読取位置Ｐ１を通過する間、画像を読み取ることにより原稿全体の画像を読み取る。
【００１５】
次に、上述した構成の画像読取装置１を含むデジタル複合機（ＭＦＰ，Multi-Functional Peripheral）の構成例について説明する。  
図２は、デジタル複合機３０の制御系の構成例を示すブロック図である。  
図２に示すように、デジタル複合機３０は、システム制御部３１、画像読取部３２、画像形成部３３、コントロールパネル３４などを有する。また、デジタル複合機３０は、ネットワークを介して外部装置に接続しても良い。また、デジタル複合機３０は、ファクシミリなどを有するものであっても良い。
【００１６】
システム制御部３１は、デジタル複合機３０全体の制御を司る。システム制御部３１は、ＣＰＵ５１、ＲＯＭ５２、ＲＡＭ５３、画像処理部５４、ページメモリ５５、ハードディスクドライブ（ＨＤＤ）５６、通信インターフェース（Ｉ／Ｆ）５７などを有する。
【００１７】
ＣＰＵ５１は、デジタル複合機３０全体の制御を司る。ＣＰＵ５１は、プログラムを実行するプロセッサであればよい。ＲＯＭ５２は、不揮発性のメモリである。ＲＯＭ５２は、例えば、制御プログラムや制御データを記憶する。ＲＡＭ５３は、揮発性のメモリで構成する。ＲＡＭ５３は、例えば、種々のパラメータや作業用のデータなどを記憶する。ＣＰＵ５１は、ＲＯＭ５２などに記憶したプログラムを実行することにより種々の処理機能を実現する。
【００１８】
画像処理部５４は、画像データに対して画像処理を行う。ページメモリ５５は、作業用の画像データを記憶する。ＨＤＤ５６は、画像データなどを保存する。通信インターフェース５７は、ネットワークを介して外部機器とのデータ通信を行うインターフェースである。
【００１９】
コントロールパネル３４は、種々の操作指示が入力されるユーザインターフェースである。コントロールパネル３４は、表示部４１、操作部４２などを有する。表示部４１及び操作部４２は、例えば、タッチパネル内蔵の液晶表示装置で構成する。また、操作部４２は、テンキーなどのハードキーを含むものであっても良い。
【００２０】
画像形成部３３は、画像を被画像形成媒体（記録媒体）に形成する。例えば、画像形成部３３は、システム制御部３１から供給される画像データに応じた画像を用紙に印刷する。画像形成部３３は、モノクロプリンタであっても良いし、カラープリンタであっても良い。また、画像形成部３３は、特定の画像形成方式に限定されるものではない。たとえば、画像形成部３３は、電子写真方式であっても良いし、インクジェット方式の画像形成装置であっても良いし、熱転写方式であっても良い。
【００２１】
次に、画像読取部３２の制御系の構成例について説明する。  
図２に示すように、画像読取部３２の制御系は、ＣＰＵ６１、ＲＡＭ６２、ＲＯＭ６３、信号処理部６４、露光制御部６６、駆動制御部６７などを有する。なお、図１に示す画像読取装置１は、図２に示す画像読取部３２の制御系とシステム制御部３１およびコントロールパネル３４などにより制御可能である。
【００２２】
ＣＰＵ６１は、画像読取部３２全体の制御を司る。ＣＰＵ６１は、プログラムを実行するプロセッサであれば良い。ＲＡＭ６２は、揮発性メモリなどにより構成する。ＲＯＭ６３は、不揮発性メモリで構成する。ＲＯＭ６３は、ＣＰＵ６１が実行する制御プログラムや制御データなどを記憶されている。ＣＰＵ６１は、ＲＯＭ６２などのメモリが記憶するプログラムを実行することにより種々の処理機能を実現する。なお、ＣＰＵ６１が実行するプログラムは、一時的でない記憶媒体に記憶するものであれば良い。例えば、プログラムは、ＮＶＭなどの書き換え可能な不揮発性メモリに記憶しても良い。
【００２３】
信号処理部６４は、光電変換部１９からの出力信号（スキャン画像データ）を処理する。信号処理部６４では、例えば、アナログ／デジタル変換処理、シェーディング補正処理、画像補正処理などの処理を行う。信号処理部６４は、ＡＳＩＣなどのＩＣチップで構成しても良いし、ＤＳＰなどで実現しても良い。なお、ＣＰＵ６１がプログラムを実行することにより、画像処理の一部を実行しても良い。
【００２４】
露光制御部６６は、光源１１の点灯制御を行う。駆動制御部６７は、駆動モータ６８の駆動を制御する。駆動モータ６８は、第１キャリッジ１６を副走査方向に移動させる駆動源である。駆動制御部６７は、ＣＰＵ６１からの指示に従って駆動モータ６８を駆動することにより第１キャリッジ１６の移動を制御する。例えば、駆動制御部６７は、ＣＰＵ６１から指定される移動速度で、読取領域の終端位置まで第１キャリッジ１６を移動させる。
【００２５】
次に、本実施形態に係るデジタル複合機３０におけるスキャン設定について説明する。
図３は、デジタル複合機３０におけるスキャン設定の流れを説明するためのフローチャートである。  
まず、ユーザは、コントロールパネル３４の操作部４２を操作することにより、原稿の読取り倍率を含むスキャン設定を入力する。システム制御部３１のＣＰＵ３１は、コントロールパネル３４の操作部４２によるスキャン設定の入力を受け付ける（ＡＣＴ１１）。
【００２６】
例えば、待機状態において、システム制御部３１のＣＰＵ５１は、デジタル複合機３０の各種機能の選択指示を受け付ける。この状態において、ユーザは、コントロールパネル３４の操作部４２によってスキャン機能の選択を指示する。スキャン機能の選択が指示されると、システム制御部３１のＣＰＵ５１は、コントロールパネル３４の表示部４１にスキャン機能の設定画面を表示する。
【００２７】
スキャン機能の設定画面において、ユーザは、原稿サイズ、読取処理の結果として取得する画像サイズ（出力サイズ、保存サイズ）、読取倍率、解像度などのスキャン設定を操作部４２により指示する。読取倍率は、面積比で指定するものであっても良いし、主走査方向の倍率と副走査方向の倍率とをそれぞれ指定するものであっても良い。ＣＰＵ５１は、コントロールパネル３４の操作部４２により指示されたスキャンの設定情報を受け付ける。
【００２８】
なお、ユーザは、読取倍率の代わりに、実際にスキャンするサイズ（読取サイズ）と読取処理の結果として取得する画像サイズ（以下、出力サイズと称する）とを指定するようにしても良い。この場合、ＣＰＵ５１は、ユーザが指定する読取サイズと出力サイズとの比から、読取倍率を決定すれば良い。
【００２９】
スキャン設定が入力されると、システム制御部３１のＣＰＵ５１は、読取倍率（等倍以外の倍率）を設定する指示があるか否かを判断する（ＡＣＴ１２）。読取倍率を設定する指示がない場合（ＡＣＴ１２、ＮＯ）、システム制御部３１のＣＰＵ５１は、読取処理（スキャンジョブ）で実際にスキャンするサイズ（読取サイズ）として原稿サイズを設定する（ＡＣＴ１３）。原稿サイズは、たとえば、自動原稿サイズ検知（ＡＰＳ）により検知するサイズ、あるいは、ユーザが指定するサイズに従って設定する。
【００３０】
また、読取倍率を設定する指示がある場合（ＡＣＴ１２、ＹＥＳ）、システム制御部３１のＣＰＵ５１は、読取処理の結果として取得する画像サイズとしての出力サイズを設定する（ＡＣＴ１４）。出力サイズは、ユーザが直接的に指定しても良い。また、ユーザが指定する定型の原稿サイズを出力サイズとしても良い。原稿サイズを出力サイズとする場合、読取倍率を設定すると、原稿サイズが出力サイズとなるように読取領域が設定される旨を案内表示するようにしても良い。
【００３１】
出力サイズを設定すると、ＣＰＵ５１は、読取処理で実際に読み取る読取領域（スキャン実施エリア）を算出する（ＡＣＴ１５）。たとえば、ＣＰＵ５１は、読取倍率と出力サイズとに基づいて実施にスキャンするサイズ（読取サイズ）を算出する。読取サイズを算出すると、ＣＰＵ５１は、読取サイズとスキャン開始位置とにより読取処理で実際にスキャンすべき読取領域（スキャン実施エリア）を算出する。
【００３２】
読取領域を算出すると、ＣＰＵ５１は、ユーザに読取領域を報知する処理を行うか否かを判断する（ＡＣＴ１６）。ユーザに読取領域を報知する処理を行うと判断した場合（ＡＣＴ１６、ＹＥＳ）、ＣＰＵ５１は、ユーザに算出した読取領域を報知する処理を行う（ＡＣＴ１７）。読取領域を報知する処理を行わないと判断した場合（ＡＣＴ１６、ＮＯ）、ＣＰＵ５１は、読取領域をユーザに報知する処理を省略し、ＡＣＴ１８へ進む。
【００３３】
ここでは、読取領域を報知する処理としては、キャリッジインジケータ表示処理を想定する。キャリッジインジケータ表示処理は、実際に第１キャリッジ１６を読取領域の終端位置に移動させる処理である。第１キャリッジ１６を実際に移動させるには駆動時間等が必要となる。このため、キャリッジインジケータ表示処理は、有効又は無効の何れかが予め設定されるものとする。ＣＰＵ５１は、読取倍率が設定された場合、設定に基づいて、キャリッジインジケータ表示が有効か否かを判定する。キャリッジインジケータ表示処理は、ＣＰＵ５１が指定する読取領域に応じてＣＰＵ６１が駆動制御部６７によりキャリッジ１６を移動させることにより実施される。
【００３４】
なお、読取領域をユーザに報知する処理は、キャリッジインジケータ表示処理だけに限定されるものではない。たとえば、読取領域をユーザに報知する処理は、表示部４１に読取領域を示す情報を表示する処理であっても良い。なお、表示部４１に読取領域を示す情報を表示する処理は、キャリッジの移動等を含まないため、常に有効としても良い。また、表示部４１に読取領域を示す情報を表示する処理は、キャリッジインジケータ表示処理と共に実施しても良い。
【００３５】
また、読取倍率に応じた出力サイズあるいは等倍の原稿サイズを設定するとともに、ＣＰＵ５１は、読取サイズの設定以外の解像度などの読取処理に必要な情報を設定する（ＡＣＴ１８）。ＣＰＵ５１は、スキャン設定が終了するまで、ＡＣＴ１１−１９の処理を繰り返し実行する。たとえば、ユーザは、読取処理に必要な情報を設定した後、コントロールパネル３４に設けたスタートボタンなどのスキャン実行を指示するボタンを指示する。スタートボタンへの指示に応じて、ＣＰＵ５１は、スキャン設定処理を終了し、原稿の読取動作を開始する。
【００３６】
なお、上述したスキャン設定処理は、画像読取部３２のＣＰＵ６１が実施するようにしても良い。この場合、ＣＰＵ６１は、ＣＰＵ５１を介してコントロールパネル３４に入力されたスキャン設定に関する情報を取得するようにする。
【００３７】
次に、原稿の読取り動作について説明する。  
図４は、原稿の読取り動作を説明するためのフローチャートである。  
図４は、原稿台ガラス１０上に載置された原稿の読取り処理を想定するものとする。  
スキャンの実行を開始するボタンが入力された場合、ＣＰＵ５１は、スキャン設定情報とスキャン開始要求とをＣＰＵ６１へ指示する。スキャン開始要求を受けると、画像読取部３２のＣＰＵ６１は、スキャン設定情報に基づき、キャリッジの駆動設定、画像処理の変倍設定、および、読取領域の設定を行う（ＡＣＴ３１−３３）。
【００３８】
まず、画像読取部３２のＣＰＵ６１は、スキャン設定情報における読取倍率と解像度とから第１キャリッジ１６の駆動による副走査倍率（スキャナ副走査倍率）を算出する。スキャナ副走査倍率を算出すると、ＣＰＵ６１は、第１キャリッジの移動速度などを副走査倍率に応じた値に設定する（ＡＣＴ３２）。たとえば、倍率９５％、かつ、解像度３００ｄｐｉである場合、ＣＰＵ６１は、解像度３００ｄｐｉからスキャナ副走査倍率を５０％と算出する。
【００３９】
また、画像読取部３２のＣＰＵ６１は、スキャン設定情報の読取倍率と解像度とから信号処理部６４の変倍処理における主走査方向の倍率および副走査方向の倍率を算出する。変倍処理における変倍率を算出すると、ＣＰＵ６１は、信号処理部６４の変倍処理における変倍率を設定する（ＡＣＴ３３）。たとえば、倍率９５％、かつ、解像度３００ｄｐｉである場合、ＣＰＵ６１は、信号処理部６４の変倍処理における副走査倍率を９５％、主走査倍率を４７．５％と算出する。ここで、変倍処理における主走査倍率は、３００ｄｐｉ（５０％）×９５％＝４７．５％として算出される。
【００４０】
さらに、画像読取部３２のＣＰＵ６１は、スキャン設定情報における読取倍率と出力サイズとから読取領域（スキャン実施エリア）を算出する。読取領域を算出すると、ＣＰＵ６１は、第１キャリッジ１６の移動範囲などを読取領域に応じた値に設定する（ＡＣＴ３３）。なお、読取領域は、スキャン設定情報に含まれるものであっても良い。
【００４１】
たとえば、倍率が９５％、かつ、画像サイズがＡ４サイズである場合、ＣＰＵ６１は、主走査方向のサイズを３１２．６ｍｍ、副走査方向のサイズを２２１ｍｍと算出する。この場合、スキャン実施エリアは、３１２．６ｍｍ×２２１ｍｍとなる。なお、Ａ４サイズは、主走査方向が２９７ｍｍ、副走査方向が２１０ｍｍである。ＣＰＵ６１は、主走査方向のサイズを２９７ｍｍ／９５％＝３１２．６ｍｍにより算出する。ＣＰＵ６１は、副走査方向のサイズを２１０ｍｍ／９５％＝２２１ｍｍにより算出する。
【００４２】
次に、算出したスキャナ副走査倍率にて、同じく算出したスキャン実施エリアの読み取り動作を行う。画像読取部３２のＣＰＵ６１は、スキャン設定情報に基づき、キャリッジの駆動設定、画像処理の変倍設定、および、読取領域の設定を行う
ＡＣＴ３１−３３の設定が終了すると、駆動制御部６７は、ＣＰＵ６１が設定するスキャン副走査倍率に応じた駆動設定によりスキャンを実施する（ＡＣＴ３４）。すなわち、駆動制御部６７は、スキャン副走査倍率に応じた駆動設定により第１キャリッジ１６を読取領域の終端まで移動する。光電変換部１９は、第１キャリッジ１６の移動によりスキャンした読取領域の画像を画像データに変換する。光電変換部１９は、画像データを信号処理部６４へ出力する。光電変換部１９が読み取った画像データが供給されると、信号処理部６４は、アナログ／デジタル変換処理などを行う。
【００４３】
信号処理部６４がアナログ／デジタル変換処理などを行ったあと、ＣＰＵ６１は、以降の画像データ処理をシステム制御部３１で行うようＣＰＵ５１へ指示する。ＣＰＵ５１は、ＣＰＵ６１が設定する変倍率に従って画像データの主走査方向と副走査方向とを画像処理部５４を使用して変倍処理を実行する。画像処理部５４は、変倍処理した画像データをページメモリ５５に出力する（ＡＣＴ３５）。その後、画像処理部５４は、変倍処理した画像データを所定のファイル形式に変換してＨＤＤ５６などの記憶装置に記憶する（ＡＣＴ３６）。
【００４４】
また、画像処理部５４は、変換処理した画像データを通信Ｉ／Ｆ５７により外部装置へ送信したり、画像形成用の画像データに変換した後に画像形成部３３へ出力したりしても良い。  
なお、ＣＰＵ６１で行ったＡＣＴ３１−３３の処理の一部は、システム制御部３１のＣＰＵ５１が行うようにしてもよい。
【００４５】
以上の処理により、画像読取部は、スキャン設定の倍率に応じて読み取った原稿の画像をスキャン設定の出力サイズの画像データとして出力する。例えば、スキャン設定が倍率９５％、かつ、出力サイズがＡ４である場合、画像読取部３２は、３１２．６ｍｍ×２２１ｍｍの読取領域の画像をＡ４サイズの画像データとして出力する。  
なお、上述の動作例では、原稿台ガラス１０に載置された原稿の読取処理を想定する。ただし、上述した読取り画像の変倍処理は、ＡＤＦ２１が搬送する原稿の読取処理についても適用できる。この場合、ＣＰＵ６１は、スキャン設定情報で指定される読取倍率に応じた変倍率を画像処理部５４に設定すれば良い。
【００４６】
図５は、読取倍率の設定に応じた画像データの例を示す図である。  
図５は、原稿７０、第１スキャン画像７１、第１出力画像７２、第２スキャン画像７３、第２出力画像７４の例を示す。原稿７０は、第１領域Ｒ１と第２領域Ｒ２とを有する。第１領域Ｒ１は、定型の原稿サイズであるものとする。
【００４７】
原稿７０を原稿サイズの等倍で読み取ると、光電変換部１９は、第１スキャン画像７１を出力する。第１スキャン画像７１は、原稿７０の第１領域Ｒ１を等倍で読み取った画像となる。また、読取倍率が等倍に設定されている場合、第１スキャン画像７１は、変倍処理がされない。変倍処理が無い場合、信号処理部６４は、第１スキャン画像７１をそのままのサイズとした第１出力画像７２を出力する。
【００４８】
原稿７０の第１領域Ｒ１のサイズを出力サイズとし、かつ、変倍率をαとすると、光電変換部１９は、第２スキャン画像７３を出力する。第２スキャン画像７３は、第１領域Ｒ１及び第２領域Ｒ２を全て含む原稿７０全体を読み取った画像となる。変倍率が「α」である場合、信号処理部６４は、第２スキャン画像７３を変倍率「α」で変倍した第２出力画像７４を出力する。ここでは、出力サイズが第１領域Ｒ１のサイズ（定型の原稿サイズ）である。このため、第２出力画像は、第２領域Ｒ２を含む原稿７０全体を第１領域Ｒ１のサイズ（定型の原稿サイズ）としたものとなる。
【００４９】
上記のように、本実施形態に係る画像読取装置は、原稿画像の読取り処理において倍率した画像を出力できる。この結果、本実施形態に係る画像読取装置は、定型の原稿サイズと異なる原稿であっても、定型の原稿サイズの画像データとして出力又は保存することができる。また、本実施形態に係る画像読取装置は、原稿の一部を指定の倍率に変換した画像データを出力又は保存することも可能となる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１…画像読取装置、１６…第１キャリッジ、１７…第２キャリッジ、１９…光電変換部、３０…デジタル複合機、３１…システム制御部、３２…画像読取部、３３…画像形成部、３４…コントロールパネル、４１…表示部、４２…操作部、５１…ＣＰＵ、５２…ＲＯＭ、５３…ＲＡＭ、６１…ＣＰＵ、６２…ＲＯＭ、６３…ＲＡＭ、６４…信号処理部、６７…駆動制御部。
【図１】
2016058802.tif 000003
【図２】
2016058802.tif 000004
【図３】
2016058802.tif 000005
【図４】
2016058802.tif 000006
【図５】
2016058802.tif 000007